(57)【要約】      （修正有）【課題】複数の片体を重ねる方式を運用し、一次側の２側面上にそれぞれ位置する両面二次側積層片変圧器を提供する。【解決手段】複数のコイルアセンブリ３はそれぞれ対応し、しかも複数の隔離槽上に巻きつき、二次側部は２個の片体アセンブリ２１、２１ａを備え、各片体アセンブリ２１、２１ａは収容設置槽中にちょうど位置し、片体アセンブリ２１、２１ａは複数の片体、複数の隔絶体２３を備え、各片体は開孔２４１、導入槽２４２を備え、開孔２４１は中柱体を収容設置し、導入槽２４２は開孔２４１の片側に位置し、導入槽２４２両側には極ピン２４３をそれぞれ備え、隔絶体は環状構造で、しかも貫通孔２３１を備え、貫通孔２３１は中柱体に収容設置され、隔絶体は２個の片体間にちょうど位置し、複数の片体は相互に互い違いに重なり、中柱体上に位置し、これにより各片体アセンブリ２１、２１aは４個の極ピン２４３を備える。【選択図】図４
0003174572.tif 000002
【実用新案登録請求の範囲】
【請求項１】
両面二次側積層片変圧器は、一次側部、二次側部を備え、
前記一次側部は、隔離体台、複数のコイルアセンブリを備え、前記隔離体台は、複数の隔離槽、複数の接触ピンを備え、前記隔離体台両端面には、収容設置槽をそれぞれ備え、前記収容設置槽はさらに、中柱体を備え、
前記複数のコイルアセンブリは、前記隔離体台上に巻きつき、しかも前記複数のコイルアセンブリは、それぞれ対応し、しかも複数の隔離槽上に位置し、
前記二次側部は、２個の片体アセンブリを備え、前記各片体アセンブリは、前記収容設置槽中にちょうど位置し、
前記片体アセンブリは、複数の片体、複数の隔絶体を備え、
前記各片体は、開孔、導入槽を備え、前記開孔は、中柱体を収容設置し、前記導入槽は、前記開孔の片側に位置し、前記導入槽両側には、極ピンをそれぞれ備え、
前記隔絶体は、環状構造で、しかも貫通孔を備え、前記貫通孔は、前記中柱体に収容設置され、前記隔絶体は、前記２個の片体間にちょうど位置し、
前記複数の片体は、相互に互い違いに重なり、前記中柱体上に位置し、これにより前記各片体アセンブリは、４個の極ピンを備えることを特徴とする両面二次側積層片変圧器。
【請求項２】
請求項１記載の両面二次側積層片変圧器において、前記片体は、銅片の外にスズ材をメッキすることを特徴とする両面二次側積層片変圧器。
【請求項３】
請求項１記載の両面二次側積層片変圧器において、前記隔離体台は、不導電材質により製造することを特徴とする両面二次側積層片変圧器。
【請求項４】
請求項１記載の両面二次側積層片変圧器において、前記各隔離体上にはさらに、少なくとも１個の開槽を備え、
前記開槽は、２個の隔離槽の間に位置し、しかも前記２個の隔離槽に通じることを特徴とする両面二次側積層片変圧器。
【請求項５】
請求項１記載の両面二次側積層片変圧器において、前記隔絶体は、不導電材質により製造することを特徴とする両面二次側積層片変圧器。
【請求項６】
請求項１記載の両面二次側積層片変圧器において、前記コイルアセンブリはさらに、少なくとも１個のコイル端を形成し、
前記コイル端は、前記接触ピンと相互に連接することを特徴とする両面二次側積層片変圧器。
【請求項７】
請求項１記載の両面二次側積層片変圧器において、前記極ピン一端にはさらに、槽孔を備えることを特徴とする両面二次側積層片変圧器。
【請求項８】
請求項１記載の両面二次側積層片変圧器において、前記隔離体台両端にはさらに、固定部をそれぞれ備え、
前記固定部と前記中柱体は、相互に連接することを特徴とする両面二次側積層片変圧器。
【請求項９】
請求項１記載の両面二次側積層片変圧器において、前記固定部は、不導電材質により製造することを特徴とする両面二次側積層片変圧器。
【請求項１０】
請求項１記載の両面二次側積層片変圧器において、前記変圧器はさらに、鉄芯台を備え、
前記鉄芯台は、鉄芯を備え、前記鉄芯は、前記隔離体台の穿孔中に位置し、前記穿孔は、前記中柱体に位置し、しかも前記隔離体台両端に通じることを特徴とする両面二次側積層片変圧器。
【考案の詳細な説明】
【技術分野】
【０００１】
本考案は変圧器構造に関し、特に複数の片体を重ねる方式を運用し、一次側の２側面上にそれぞれ位置する両面二次側積層片変圧器に関する。
【背景技術】
【０００２】
ハイテク技術、特にマイクロ電子関連製造工程の領域の発展は、日進月歩の勢いを示している。これにより、電子製品は、各家庭、各業種、各企業内に深く浸透し、現代生活において欠くべからざるものとなっている。
【０００３】
電子製品においては、出力電圧により操作を行うが、一般には、市内で使用する入力電圧は110Vか220Vで、これでは電子製品を損壊させてしまうため、変圧器を通して降圧し、使用に供する必要がある。
【０００４】
一般の変圧器はみな、一次側部と二次側部を備え、その上には、複数のエナメル線を絡ませて形成するコイルを巻きつける。一次側部上には、複数の接続ピンを備え、銅材により、基板上に溶接される。二次側部にも、複数のエナメル線を絡ませて形成するコイルを巻きつける。二次側部が受け取る電流は、電圧が低いが大電流であるため、複数のエナメル線の線径は、一次側部より太く、より大きなエディ(Eddy)損失を引き起こす。そのため、省スペースの二次側部を設計することは、業界関係者にとって急務の課題である。
【考案の概要】
【考案が解決しようとする課題】
【０００５】
本考案の主な目的は、複数の薄銅片を相互に積み重ね、しかもそれぞれ一次側の２側面上に位置させることで、エナメル線を絡ませて形成するコイルに置換し、二次側が占拠する空間とエディ損失を節減することができる両面二次側積層片変圧器を提供することである。
【課題を解決するための手段】
【０００６】
上記課題を解決するため、本発明は下記の両面二次側積層片変圧器を提供する。
両面二次側積層片変圧器は、一次側部、二次側部を備え、
該一次側部は、隔離体台、複数のコイルアセンブリを備え、
隔離体台は、複数の隔離槽、複数の接触ピンを備え、
該隔離体台両端面には、収容設置槽をそれぞれ備え、該収容設置槽はさらに、中柱体を備え、
該複数のコイルアセンブリは、それぞれ対応し、しかも該複数の隔離槽上に巻きつき、  該二次側部は、２個の片体アセンブリを備え、該各片体アセンブリは、該収容設置槽中にちょうど位置し、
該片体アセンブリは、複数の片体、複数の隔絶体を備え、
該各片体は、開孔、導入槽を備え、
該開孔は、中柱体を収容設置し、該導入槽は、該開孔の片側に位置し、該導入槽両側には、極ピンをそれぞれ備え、
該隔絶体は、環状構造で、しかも貫通孔を備え、該貫通孔は、該中柱体に収容設置され、該隔絶体は、該２個の片体間にちょうど位置し、
該複数の片体は、相互に互い違いに重なり、該中柱体上に位置し、これにより該各片体アセンブリは、４個の極ピンを備える。
【考案の効果】
【０００７】
本考案の両面二次側積層片変圧器は、複数の薄銅片を相互に積み重ね、しかもそれぞれ一次側の２側面上に位置させることで、エナメル線を絡ませて形成するコイルに置換し、二次側が占拠する空間とエディ損失を節減することができる。
【図面の簡単な説明】
【０００８】
【図１】本発明両面二次側積層片変圧器実施例の立体構造組合せを示す模式図である。
【図２】本発明両面二次側積層片変圧器実施例の立体構造組合せを示す別の視覚からの模式図である。
【図３】本発明両面二次側積層片変圧器実施例の立体構造分解模式図である。
【図４】本発明において、一次側部実施例の立体構造分解模式図である。
【図５】本発明において、二次側部実施例の立体構造分解模式図である。
【考案を実施するための形態】
【０００９】
本考案の構造及びその効果を御理解いただくために、ここに図面を参照とした実施例を用いて次の如く詳細説明を行う。
【００１０】
図１乃至図５に示すとおり、本考案は両面二次側積層片変圧器実施例の立体構造組合せを示す模式図、立体構造組合せを示す別の視覚からの模式図、立体構造分解模式図、一次側部実施例の立体構造分解模式図、二次側部実施例の立体構造分解模式図である。本発明両面二次側積層片変圧器は、一次側部１、二次側部２、鉄芯台５を備える。本発明の一次側部１は、隔離体台１２、複数のコイルアセンブリ３を備える。隔離体台１２は、中空の柱状構造である穿孔１２４を備える。穿孔１２４は、隔離体台１２の両端を貫通する。本発明実施例中では、隔離体台１２は、不導電材質により製造する。隔離体台１２の外縁表面上には、複数の隔離体１２１を備え、複数の接触ピン１４を延伸する。隔離体台１２両端面には、収容設置槽１６をそれぞれ備える。収容設置槽１６はさらに、中柱体１５を備える。
【００１１】
複数の隔離体１２１の区画により、隔離体台１２は複数の隔離槽１２３を形成する。各隔離体１２１上にはさらに、少なくとも１個の開槽１２２を備える。開槽１２２は、２個の隔離槽１２３の間に位置し、しかも２個の隔離槽１２３に通じ、これにより二次側の巻線クロスオーバーの便を図る。各隔離体１２１、１２１aは、おおよそ相互に平行であるため、隔離体１２１と隔離体１２１aとの間には、距離dを隔てる。
【００１２】
コイルアセンブリ３は、複数のエナメル線が絡まって形成され、しかも、隔離体台１２上に巻きつく。複数のコイルアセンブリ３は、それぞれ対応し、しかも複数の隔離槽１２３上に位置する。しかも、コイルアセンブリ３は、開槽１２２を通過し、もう一つのコイルアセンブリ３と相互に連接する。コイルアセンブリ３末端には、複数のコイル端３１を形成する。各コイル端３１にはスズをメッキして設置し、接触ピン１４上に連接する。本発明の両面二次側積層片変圧器は、複数の接触ピン１４を銅材により、基板(図示なし)上に溶接する。
【００１３】
本考案の二次側部２は、２個の片体アセンブリ２１、２１aを備える。各片体アセンブリ２１、２１aは、収容設置槽１６中にちょうど位置する。片体アセンブリ２１は、複数の片体２４、複数の隔絶体２３を備える。本発明実施例中では、各片体２４はみな、銅片外にスズ材をメッキし、プレスにより一体成型する。各片体２４は、開孔２４１、導入槽２４２、２個の極ピン２４３を備える。開孔２４１は、中柱体を収容設置する。２個の極ピン２４３は、導入槽２４２の両側にそれぞれ設置する。本発明実施例中では、極ピン２４３一端にはさらに、槽孔２４４を備え、極ピン２４３末端を一つを二つに分け、違った回路レイアウトの連接使用に提供する。
【００１４】
本考案実施例中では、複数の片体２４は、相互に互い違いに重なり、中柱体１５上に位置する。隔絶体２３は、環状構造で、しかも貫通孔２３１を備えるため、貫通孔２３１は、中柱体１５に収容設置され、隔絶体２３は、２個の片体２４間にちょうど位置する。隔絶体２３は、不導電材質により製造し、２個の片体２４は、電気信号導通のショートを防止することができる。複数の片体２４は、相互に互い違いに中柱体１５上に重なり、これにより各片体アセンブリ２１、２１aは、４個の極ピンを形成し、これにより違った回路レイアウトの連接使用に提供する。隔離体台１２両端にはさらに、固定部２２をそれぞれ備える。固定部２２と中柱体１５は、相互に連接する。固定部２２は、不導電材質により製造し、片体２４と電気信号導通のショートを防止することができ、及び定位の機能を達成することができる。本考案実施例中では、変圧器はさらに、鉄芯台５を備える。鉄芯台５は、鉄芯５１を備える。鉄芯５１は、穿孔１２４中に位置する。こうして、複数の片体２４が相互に互い違いに重なることで、エナメル線が絡んで形成するコイルに置換し、二次側が占拠する空間とエディ損失を節減することができる。
【００１５】
前述した通り、前述したものは本考案の一部実施例であるのみで、本考案を制限するものではなく、本考案の創意精神及び特徴に基づき若干の変化修飾を加えて作り上げたものは何れも本特許の請求範囲内に含まれるものとする。
【符号の説明】
【００１６】
１  一次側部
１２  隔離体台
１２１、１２１a  隔離体
１２２  開槽
１２３  隔離槽
１２４  穿孔
１４  接触ピン
１５  中柱体
１６  収容設置槽
２  二次側部
２１、２１a  片体アセンブリ
２２  固定部
２３  隔絶体
２３１  貫通孔
２４  片体
２４１  開孔
２４２  導入槽
２４３  極ピン
２４４  槽孔
３  コイルアセンブリ
３１  コイル端
５  鉄芯台
５１  鉄芯
d  距離
【図１】
0003174572.tif 000003
【図２】
0003174572.tif 000004
【図３】
0003174572.tif 000005
【図４】
0003174572.tif 000006
【図５】
0003174572.tif 000007